【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
加圧された水をカプセルに注入することによって飲料を調製するための飲料調製装置において、前記カプセルが少なくとも１つの柔軟な壁を有し、前記飲料調製装置が、開いた構成と飲料調製のための閉じた抽出構成との間で動作可能なクランプアセンブリを含み、該クランプアセンブリが、
前記カプセルの一部分を受容するための凹部を内壁に有する第１のクランプ部材と、
中心の空隙、および該中心の空隙にわたって延在する弾性層を有する剛性の周囲フレームを含む第２のクランプ部材であって、前記弾性層の前面が、前記カプセルの一部分を受容するための第２の内壁を画成し、前記閉じた抽出構成において、前記第１のクランプ部材および前記第２のクランプ部材のそれぞれの内壁が、飲料調製中に前記カプセルを実質的に包囲して支持するためのチャンバを画成する、前記第２のクランプ部材と、
前記剛性のフレームの前記中心の空隙内に配置されたピストンであって、該ピストンが、前記弾性層の後面に当接するピストン面と、ピストン本体とを含み、前記ピストンが、前記クランプが閉じる方向に沿った、前記ピストンに対して相対的な前記剛性のフレームの制限された弾性の動きを可能にするよう前記剛性の周囲フレームに弾性結合された、前記ピストンと
を含むことを特徴とする飲料調製装置。
【請求項２】
前記クランプアセンブリが、ロック解除構成と前記第１のクランプ部材を前記閉じた抽出構成にロックするためのロック構成との間で動作可能な固定機構を更に含む、請求項１記載の飲料調製装置。
【請求項３】
前記クランプアセンブリが、前記第２のクランプ部材を前記第１のクランプ部材に対して前記閉じた抽出構成へと駆動するために前記ピストンに結合された駆動機構を更に含む、請求項１または２記載の飲料調製装置。
【請求項４】
前記駆動機構がクランクシャフトとクランクアームとを含み、前記クランクシャフトがクランクシャフト中心周りに回転し、前記クランクシャフトが第１のピボット点において前記クランクアームの第１の端部にピボット可能に接続され、前記ピストンが第２のピボット点において前記クランクアームの第２の端部にピボット可能に接続された、請求項３記載の飲料調製装置。
【請求項５】
前記クランクシャフトが、クランク心棒を有する歯付きクランクシャフトであり、前記クランク心棒が、前記装置のシャーシに取り付けられて前記クランプの前記閉じる方向に対して略垂直に延び、前記歯付きクランクシャフトが、電気モータに結合された歯付き駆動ホイールによって駆動される、請求項４に記載の飲料調製装置。
【請求項６】
ロック機構が前記閉じた抽出構成にある際に、前記第１のクランプ部材を前記第２のクランプ部材に対して前記閉じた抽出構成に固定するためのロック機構を更に含む、請求項１〜５のいずれか一項に記載の飲料調製装置。
【請求項７】
前記ロック機構が前記閉じた抽出構成にある際に、前記ロック機構が、前記第１のクランプ部材に向かう前記ピストンの変位を可能にする、請求項６記載の飲料調製装置。
【請求項８】
前記ピストンが、前記装置のシャーシにピボット可能に接続されたアーム上に支持され、それにより、前記ピストンが、前記第２のクランプ部材の前記閉じる方向に対して略垂直な軸周りに前記第１のクランプ部材から離れる方向に搖動可能である、請求項１〜７のいずれか一項に記載の飲料調製装置。
【請求項９】
前記弾性層の前面が、前記カプセルを受容するための凹面状の基部面と、前記第２のクランプ部材内に保持されたカプセルの１以上の領域を選択的に締め付けるための、前記凹面状の基部面から突出した１以上の加圧パッドとを含む、請求項１〜８のいずれか一項に記載の飲料調製装置。
【請求項１０】
前記ピストンが、前記剛性のフレームの背後にある周囲フランジを含み、前記ピストンと前記剛性の周囲フレームとの前記弾性結合が、前記剛性の周囲フレームおよび前記ピストンの前記フランジの周囲に離間した複数のばねを含み、それにより、前記剛性のフレームに対して向かう方向または離れる方向の前記ピストンの相対移動が前記ばねを圧縮または伸長する、請求項１〜９のいずれか一項に記載の飲料調製装置。
【請求項１１】
前記クランプアセンブリ内において調製された飲料を受け取るカップを配置するためのカップ受容ステーションと、前記カップ受容ステーションの上方に配置された、水の噴射を前記カップ受容ステーション内のカップ内に向かわせるための水噴射ノズルとを更に含む、請求項１〜１０のいずれか一項に記載の飲料調製装置。
【請求項１２】
制御システムおよびユーザディスプレイを更に含み、該制御システムおよびユーザディスプレイが、ユーザにラテ等の均質な飲料とカプチーノ等の不均質な飲料との選択肢を提供し、均質な飲料を調製するためのコマンドに応答して、前記クランプアセンブリにおける飲料調製後に、前記カップ内の前記飲料を掻き混ぜるために前記カップ内の前記飲料に水を注入するようプログラムされた、請求項１〜１１のいずれか一項に記載の飲料調製装置。
【請求項１３】
前記クランプアセンブリに誤ったタイプのカプセルが挿入されている際に、飲料調製を中断し、ユーザにその旨を示すようプログラムされた、カプセル認識装置、制御システム、およびユーザディスプレイを更に含む、請求項１〜１２のいずれか一項に記載の飲料調製装置。
【請求項１４】
前記クランプアセンブリ内において調製された飲料を受け取るカップを配置するためのカップ受容ステーションを更に含み、該カップ受容ステーションが、赤外線送信機および赤外線受信機を含むカップ検出装置を含み、前記赤外線送信機および前記赤外線受信機が、前記カップ受容ステーション内におけるカップの存在を検出するために、前記カップ受容ステーション内に配置されたカップが前記赤外線送信機と前記赤外線受信機との間において赤外線ビームを遮るように配置され、前記カップ検出装置が前記カップ受容ステーション内においてカップを検出しない場合に、制御システムおよびユーザディスプレイが、（ａ）飲料調製を中断する工程と、（ｂ）ユーザに、（i）前記カップ受容ステーションにカップを挿入するか、または（ii）カップ検出機能を無効にするかの選択肢の一方を行うよう促す工程とを行うようプログラムされた、請求項１〜１３のいずれか一項に記載の飲料調製装置。
【請求項１５】
前記クランプアセンブリ内に保持されたカプセルに水を注入するための注入管と、前記注入管を通して約５バール（ゲージ圧）より高い圧力で前記水を送るためのポンプとを更に含む、請求項１〜１４のいずれか一項に記載の飲料調製装置。
【請求項１６】
飲料調製カプセルの飲料成分チャンバ内に飲料調製成分を有する飲料調製カプセルを、前記カプセルの前記飲料成分チャンバからの出口チャネルが前記第１のクランプ部材と前記第２のクランプ部材との間に挟持されるように、請求項１〜１５のいずれか一項に記載の飲料調製装置の前記クランプアセンブリに挿入する工程と、
前記クランプアセンブリを前記閉じた抽出構成に固定する工程と、
前記カプセル内において飲料を製造するために、水を約５〜約１５バール（ゲージ圧）の圧力で前記カプセルの前記飲料成分チャンバに注入する工程と、
前記飲料が前記出口チャネルを通って前記カプセルおよび前記クランプアセンブリから出るのを可能にする工程と
を含むことを特徴とする飲料製造方法。
【請求項１７】
前記カプセルを前記クランプに挿入する工程と、
前記第１のクランプ部材を決まった位置に固定する工程と、
次に、前記第２のクランプ部材の前記剛性のフレーム上の前記弾性層が前記第１のクランプ部材の周辺部に当接するまで、前記第２のクランプ部材を前記第１のクランプ部材に向かって移動させる工程と、
次に、前記カプセル内の前記飲料成分を圧縮するために、前記弾性層を前記第１のクランプ部材に向かって更に押すために、前記ピストンを前記第１のクランプ部材に向かって更に移動させる工程と、
次に、前記飲料を調製するために、前記飲料成分チャンバに水を注入する工程と、
次に、使用済みの前記カプセルを取り除くために前記クランプアセンブリを開くために、前記第２のクランプ部材を前記第１のクランプ部材から離れる方向に移動させる工程と
を含む、請求項１６記載の方法。
【請求項１８】
カプセルに水を注入することによって飲料を調製するための飲料調製装置において、
飲料抽出成分を内包するカプセルを保持するよう構成された第１の抽出部であって、前記カプセルを前記第１の抽出部内に入れるために閉じた位置と開いた位置との間を可動な第１の扉を含む前記第１の抽出部と、
飲料抽出成分を内包するカプセルを保持するよう構成された第２の抽出部であって、前記カプセルを前記第２の抽出部内に入れるために閉じた位置と開いた位置との間を可動な第２の扉を含む前記第２の抽出部と、
少なくとも１つの高温の液体の供給源と、
前記カプセル内の飲料成分を抽出するために、前記高温の液体を抽出部内に保持された前記カプセルに注入するのに適した少なくとも１つの注入器と、
前記第１の扉および前記第２の扉の各々を開くための制御システムであって、ユーザによって入力された第１のコマンドに応答して前記第１の扉を開き、ユーザによって入力された第２のコマンドに応答して前記第２の扉を開くようプログラムされた前記制御システムと
を含むことを特徴とする飲料調製装置。
【請求項１９】
前記第１の抽出部に挿入された前記カプセルが、前記第２の抽出部に挿入された前記カプセルとは異なる抽出条件を受ける、請求項１８記載の飲料調製装置。
【請求項２０】
前記異なる抽出条件が、異なる抽出圧力を含む、請求項１９記載の飲料調製装置。
【手続補正２】
【補正対象書類名】明細書
【補正対象項目名】０１９９
【補正方法】変更
【補正の内容】
【０１９９】
上述の実施形態は、単に例として説明したものである。添付の特許請求の範囲に含まれる他の多くの実施形態が当業者には自明である。
以下、本発明の好ましい実施形態を項分け記載する。
実施形態１
加圧された水をカプセルに注入することによって飲料を調製するための飲料調製装置において、前記カプセルが少なくとも１つの柔軟な壁を有し、前記飲料調製装置が、開いた構成と飲料調製のための閉じた抽出構成との間で動作可能なクランプアセンブリを含み、該クランプアセンブリが、
前記カプセルの一部分を受容するための凹部を内壁に有する第１のクランプ部材と、
中心の空隙、および該中心の空隙にわたって延在する弾性層を有する剛性の周囲フレームを含む第２のクランプ部材であって、前記弾性層の前面が、前記カプセルの一部分を受容するための第２の内壁を画成し、前記閉じた抽出構成において、前記第１のクランプ部材および前記第２のクランプ部材のそれぞれの内壁が、飲料調製中に前記カプセルを実質的に包囲して支持するためのチャンバを画成する、前記第２のクランプ部材と、
前記剛性のフレームの前記中心の空隙内に配置されたピストンであって、該ピストンが、前記弾性層の後面に当接するピストン面と、ピストン本体とを含み、前記ピストンが、前記クランプが閉じる方向に沿った、前記ピストンに対して相対的な前記剛性のフレームの制限された弾性の動きを可能にするよう前記剛性の周囲フレームに弾性結合された、前記ピストンと
を含むことを特徴とする飲料調製装置。
実施形態２
前記クランプアセンブリが、ロック解除構成と前記第１のクランプ部材を前記閉じた抽出構成にロックするためのロック構成との間で動作可能な固定機構を更に含む、実施形態１記載の飲料調製装置。
実施形態３
前記クランプアセンブリが、前記第２のクランプ部材を前記第１のクランプ部材に対して前記閉じた抽出構成へと駆動するために前記ピストンに結合された駆動機構を更に含む、実施形態１または２記載の飲料調製装置。
実施形態４
前記駆動機構がクランクシャフトとクランクアームとを含み、前記クランクシャフトがクランクシャフト中心周りに回転し、前記クランクシャフトが第１のピボット点において前記クランクアームの第１の端部にピボット可能に接続され、前記ピストンが第２のピボット点において前記クランクアームの第２の端部にピボット可能に接続された、実施形態３記載の飲料調製装置。
実施形態５
前記クランクシャフト中心、前記第１のピボット点、および前記第２のピボット点のすべてが略上死点配置に略位置合わせされた際に、前記クランプアセンブリが前記閉じた抽出構成になる、実施形態４記載の飲料調製装置。
実施形態６
前記クランクシャフトの軸、前記第１のピボット点の軸、および前記第２のピボット点の軸が、前記クランプの前記閉じる方向に対して略垂直な方向に延びた、実施形態４または５記載の飲料調製装置。
実施形態７
前記クランプが前記閉じた抽出構成に固定された際に、前記駆動機構を前記ピストンから解除可能である、実施形態３〜６のいずれかに記載の飲料調製装置。
実施形態８
前記駆動機構が駆動ピンを含み、前記ピストンが、前記クランプの前記閉じる方向において前記ピストン面から離れる方向に延びるスロットを更に含み、前記駆動ピンが前記スロット内に受容され、それにより、前記クランプアセンブリが前記閉じた抽出構成にある際に、前記駆動機構を前記ピストンから解除するために、前記駆動ピンを前記スロット内において引っ込めることができる、実施形態７記載の飲料調製装置。
実施形態９
前記クランクシャフトが、クランク心棒を有する歯付きクランクシャフトであり、前記クランク心棒が、前記装置のシャーシに取り付けられて前記クランプの前記閉じる方向に対して略垂直に延び、前記歯付きクランクシャフトが、電気モータに結合された歯付き駆動ホイールによって駆動される、実施形態４〜６、または実施形態４に従属する実施形態７もしくは８のいずれかに記載の飲料調製装置。
実施形態１０
ロック機構が前記閉じた抽出構成にある際に、前記第１のクランプ部材を前記第２のクランプ部材に対して前記閉じた抽出構成に固定するためのロック機構を更に含む、実施形態１〜９のいずれかに記載の飲料調製装置。
実施形態１１
前記ロック機構が前記閉じた抽出構成にある際に、前記ロック機構が、前記第１のクランプ部材に向かう前記ピストンの変位を可能にする、実施形態１０記載の飲料調製装置。
実施形態１２
前記ロック機構が、
前記第１のクランプ部材の側面から突出した少なくとも１つの第１のロックピンと、
前記ピストンの側面から突出した少なくとも１つの第２のロックピンと、
可動ロックゲートであって、前記閉じた抽出構成において前記第１のロックピンに当接する第１のフランジと、前記閉じた抽出構成において前記第２のロックピンに当接する第２のフランジとを有し、前記クランプアセンブリが前記閉じた抽出構成にある際に、前記第１のピンおよび第２のピンが互いに向かって移動するのを可能にしつつ、前記第１のピンおよび第２のピンが互いから離れる方向に移動するのを防止するために、前記ロックゲートが、前記フランジが前記ピンに係合しない開いた構成から、前記フランジが前記第１のピンおよび第２のピンの互いに反対側にそれぞれ係合する閉じた抽出構成へと可動である、前記可動ロックゲートと
を含む、実施形態１０または１１記載の飲料調製装置。
実施形態１３
前記第１のクランプ部材および前記ピストンの両側面に、前記ピンの複数の対を含む、実施形態１２記載の飲料調製装置。
実施形態１４
前記ピストンが、前記装置のシャーシにピボット可能に接続されたアーム上に支持され、それにより、前記ピストンが、前記第２のクランプ部材の前記閉じる方向に対して略垂直な軸周りに前記第１のクランプ部材から離れる方向に搖動可能である、実施形態１〜１３のいずれかに記載の飲料調製装置。
実施形態１５
前記弾性層の前面が、前記カプセルを受容するための凹面状の基部面と、前記第２のクランプ部材内に保持されたカプセルの１以上の領域を選択的に締め付けるための、前記凹面状の基部面から突出した１以上の加圧パッドとを含む、実施形態１〜１４のいずれかに記載の飲料調製装置。
実施形態１６
前記加圧パッドが、概ね前記クランプの入口領域から前記クランプの出口領域に向かう方向に延びる１以上の細長い加圧パッドを含む、または該細長い加圧パッドから成る、実施形態１５記載の飲料調製装置。
実施形態１７
前記加圧パッドの１以上が、外力が存在しないときに略弧状の横断面および／または縦断面を有する、実施形態１５または１６記載の飲料調製装置。
実施形態１８
前記ピストンが、前記剛性のフレームの背後にある周囲フランジを含み、前記ピストンと前記剛性の周囲フレームとの前記弾性結合が、前記剛性の周囲フレームおよび前記ピストンの前記フランジの周囲に離間した複数のばねを含み、それにより、前記剛性のフレームに対して向かう方向または離れる方向の前記ピストンの相対移動が前記ばねを圧縮または伸長する、実施形態１〜１７のいずれかに記載の飲料調製装置。
実施形態１９
前記クランプアセンブリ内において調製された飲料を受け取るカップを配置するためのカップ受容ステーションと、前記カップ受容ステーションの上方に配置された、水の噴射を前記カップ受容ステーション内のカップ内に向かわせるための水噴射ノズルとを更に含む、実施形態１〜１８のいずれかに記載の飲料調製装置。
実施形態２０
制御システムおよびユーザディスプレイを更に含み、該制御システムおよびユーザディスプレイが、ユーザにラテ等の均質な飲料とカプチーノ等の不均質な飲料との選択肢を提供し、均質な飲料を調製するためのコマンドに応答して、前記クランプアセンブリにおける飲料調製後に、前記カップ内の前記飲料を掻き混ぜるために前記カップ内の前記飲料に水を注入するようプログラムされた、実施形態１〜１９のいずれかに記載の飲料調製装置。
実施形態２１
前記クランプアセンブリに誤ったタイプのカプセルが挿入されている際に、飲料調製を中断し、ユーザにその旨を示すようプログラムされた、カプセル認識装置、制御システム、およびユーザディスプレイを更に含む、実施形態１〜２０のいずれかに記載の飲料調製装置。
実施形態２２
前記クランプアセンブリ内において調製された飲料を受け取るカップを配置するためのカップ受容ステーションを更に含み、該カップ受容ステーションが、赤外線送信機および赤外線受信機を含むカップ検出装置を含み、前記赤外線送信機および前記赤外線受信機が、前記カップ受容ステーション内におけるカップの存在を検出するために、前記カップ受容ステーション内に配置されたカップが前記赤外線送信機と前記赤外線受信機との間において赤外線ビームを遮るように配置され、前記カップ検出装置が前記カップ受容ステーション内においてカップを検出しない場合に、制御システムおよびユーザディスプレイが、（ａ）飲料調製を中断する工程と、（ｂ）ユーザに、（i）前記カップ受容ステーションにカップを挿入するか、または（ii）カップ検出機能を無効にするかの選択肢の一方を行うよう促す工程とを行うようプログラムされた、実施形態１〜２１のいずれかに記載の飲料調製装置。
実施形態２３
前記クランプアセンブリ内に保持されたカプセルに水を注入するための注入管と、前記注入管を通して約５バール（ゲージ圧）より高い圧力で前記水を送るためのポンプとを更に含む、実施形態１〜２２のいずれかに記載の飲料調製装置。
実施形態２４
約２バール（ゲージ圧）より低い圧力でのカプセルからの飲料調製に適した第２のクランプアセンブリと、該第２のクランプアセンブリ内に保持されたカプセルに水を注入するための第２の注入管と、前記第２の注入管を通して約２バール（ゲージ圧）より低い圧力で前記水を送るためのポンプとを更に含み、前記装置が、前記クランプアセンブリの両方からの飲料調製を制御するための単一の制御システムおよびユーザディスプレイを含む、実施形態２３記載の飲料調製装置。
実施形態２５
前記制御システムおよびユーザディスプレイが、多成分の飲料を抽出するためのコマンドに応答して、ユーザに、
（ａ）第１の飲料抽出成分を内包する第１のカプセルを前記クランプアセンブリの一方に挿入する工程と、
（ｂ）前記第１のカプセルから前記第１の飲料成分が抽出されるのを待つ工程と、
（ｃ）容器を前記一方のクランプアセンブリのカップ受容ステーションから他方の前記クランプアセンブリのカップ受容ステーションへと移す工程と、
（ｄ）第２の飲料抽出成分を内包する第２のカプセルを前記他方のクランプアセンブリに挿入する工程と、
（ｅ）前記第２のカプセルから前記第２の飲料成分が抽出されるのを待つ工程と
を順次行うよう促すようプログラムされた、実施形態２４記載の飲料調製装置。
実施形態２６
実施形態２４または２５記載の飲料調製装置と、
前記装置の前記第１の飲料調製クランプアセンブリにおいて用いられる第１のタイプの複数の飲料調製カプセルと、
前記装置の前記第２の飲料調製クランプアセンブリにおいて用いられる異なるタイプの複数の飲料調製カプセルと
を含むことを特徴とする飲料調製システム。
実施形態２７
前記第１のクランプアセンブリが第１のキー溝を含み、前記第２のクランプアセンブリが前記第１のキー溝とは異なる第２のキー溝を含み、前記第１のタイプのカプセルが、前記第１のカプセルを前記第１のキー溝を通して挿入するのを可能にし且つ前記第２のキー溝を通して挿入するのを可能にしない第１のノズル構成を含み、前記第２のタイプのカプセルが、前記第２のカプセルを前記第２のキー溝を通して挿入するのを可能にし且つ前記第１のキー溝を通して挿入するのを可能にしない第２のノズル構成を含む、実施形態２６記載の飲料調製システム。
実施形態２８
前記第１のクランプアセンブリが第１のノズル色センサを含み、前記第２のクランプアセンブリが第２のノズル色センサを含み、前記第１のタイプのカプセルが第１の色を有するノズルを含み、前記第２のタイプのカプセルが第２の色を有するノズルを含む、実施形態２６記載の飲料調製システム。
実施形態２９
飲料調製カプセルの飲料成分チャンバ内に飲料調製成分を有する飲料調製カプセルを、前記カプセルの前記飲料成分チャンバからの出口チャネルが前記第１のクランプ部材と前記第２のクランプ部材との間に挟持されるように、実施形態１〜２５のいずれかに記載の飲料調製装置の前記クランプアセンブリに挿入する工程と、
前記クランプアセンブリを前記閉じた抽出構成に固定する工程と、
前記カプセル内において飲料を製造するために、水を約５〜約１５バール（ゲージ圧）の圧力で前記カプセルの前記飲料成分チャンバに注入する工程と、
前記飲料が前記出口チャネルを通って前記カプセルおよび前記クランプアセンブリから出るのを可能にする工程と
を含むことを特徴とする飲料製造方法。
実施形態３０
前記カプセルを前記クランプに挿入する工程と、
前記第１のクランプ部材を決まった位置に固定する工程と、
次に、前記第２のクランプ部材の前記剛性のフレーム上の前記弾性層が前記第１のクランプ部材の周辺部に当接するまで、前記第２のクランプ部材を前記第１のクランプ部材に向かって移動させる工程と、
次に、前記カプセル内の前記飲料成分を圧縮するために、前記弾性層を前記第１のクランプ部材に向かって更に押すために、前記ピストンを前記第１のクランプ部材に向かって更に移動させる工程と、
次に、前記飲料を調製するために、前記飲料成分チャンバに水を注入する工程と、
次に、使用済みの前記カプセルを取り除くために前記クランプアセンブリを開くために、前記第２のクランプ部材を前記第１のクランプ部材から離れる方向に移動させる工程と
を含む、実施形態２９記載の方法。
実施形態３１
飲料調製成分を内包する飲料調製カプセルにおいて、
上縁部、第１および第２の側縁部、並びに底縁部に沿って面と面とを合わせる関係で一体に接着された、空気および液体を実質的に通さない柔軟なフィルム材料の前シートおよび後シートであって、前記底縁部における前記接着の領域が、飲料調製中に前記カプセルから飲料が出るのを可能にするために熱および／または圧力によって剥離可能であり、前記前シートおよび前記後シートが更に、前記上縁部と底縁部との中間に延在する横断方向の封止部によって面と面とを合わせる関係で一体に接着され、前記横断方向の封止部は空隙によって中断され、それにより、該空隙が、該空隙の上方に位置する飲料成分チャンバと前記空隙の下方に位置する飲料出口チャンバとを連通させる、前記前シートおよび前記後シートと、
前記空隙内にフィルタ要素を設けるために前記カプセルを横断して延在する折り畳まれたフィルタストリップであって、該折り畳まれたフィルタストリップが、前記横断方向の封止部の下方において横断方向に延びる折り目と、前記横断方向の封止部を通るよう上に延び、前記カプセルの前記前シートおよび前記後シートにそれぞれ接着された前サイドパネルおよび後サイドパネルとを有し、該前サイドパネルおよび後サイドパネルが前記横断方向の封止部の上方にある前記飲料成分チャンバ内に約１０ｍｍを超えて延出しない、前記フィルタストリップと
を含むことを特徴とする飲料調製カプセル。
実施形態３２
鮮度バリアによって封止された管状の孔を有する液体注入ノズルを更に含み、該ノズルが、前記上縁部において前記前シートと前記後シートとの間に気密封止された、実施形態３１記載の飲料調製カプセル。
実施形態３３
前記前シートと前記後シートとの間に前記成分チャンバの幅より小さい幅を有する前記出口チャンバを画成するために、前記前シートおよび前記後シートが、前記カプセルの幅の一部にわたって前記中間の横断方向の封止部と前記底縁部の封止部との間に一体に接着された、実施形態３１または３２記載の飲料調製カプセル。
実施形態３４
前記前サイドパネルおよび後サイドパネルが、前記横断方向の封止部の上方にある前記飲料成分チャンバ内に約５ｍｍを超えて延出しない、実施形態３１〜３３のいずれかに記載の飲料調製カプセル。
実施形態３５
前記折り畳まれたストリップが、約３０ｍｍ〜約５０ｍｍの展開された縁部から縁部までの幅を有するＶ字状に折り畳まれたストリップである、実施形態３１〜３４のいずれかに記載の飲料調製カプセル。
実施形態３６
前記カプセルが、前記前シートおよび前記後シート、前記フィルタストリップ、必要に応じて設けられる前記ノズル、並びに前記成分から実質的に成る、実施形態３１〜３５のいずれかに記載の飲料調製カプセル。
実施形態３７
前記カプセルが１回分のカプセルである、実施形態３１〜３６のいずれかに記載の飲料調製カプセル。
実施形態３８
前記空隙および前記出口チャンバが、前記カプセルの軸方向中心領域内に配置され、前記出口チャンバが前記飲料成分チャンバの幅の約２０％〜約７０％の幅を有する、実施形態３１〜３７のいずれかに記載の飲料調製カプセル。
実施形態３９
前記空隙が約５ｍｍ〜約２５ｍｍの幅、好ましくは約８ｍｍ〜約１５ｍｍの幅を有する、実施形態３１〜３８のいずれかに記載の飲料調製カプセル。
実施形態４０
前記折り畳まれたフィルタストリップの底部の折り目が、前記剥離可能な接着の領域内において前記カプセルの前記底縁部の封止部の中に接着された、実施形態３１〜３９のいずれかに記載の飲料調製カプセル。
実施形態４１
実施形態３１〜４０のいずれかに記載のカプセルから飲料を調製するための実施形態１〜２５のいずれかに記載の飲料調製装置であって、前記クランプアセンブリが閉じられて前記カプセルの周囲にロックされた際に、前記クランプアセンブリが前記カプセルの前記出口チャネルを挟持するよう構成され、前記カプセルの前記底縁部が、前記クランプから外に向かって延出する、実施形態１〜２５のいずれかに記載の飲料調製装置。
実施形態４２
カプセルに水を注入することによって飲料を調製するための飲料調製装置において、
飲料抽出成分を内包するカプセルを保持するよう構成された第１の抽出部であって、前記カプセルを前記第１の抽出部内に入れるために閉じた位置と開いた位置との間を可動な第１の扉を含む前記第１の抽出部と、
飲料抽出成分を内包するカプセルを保持するよう構成された第２の抽出部であって、前記カプセルを前記第２の抽出部内に入れるために閉じた位置と開いた位置との間を可動な第２の扉を含む前記第２の抽出部と、
少なくとも１つの高温の液体の供給源と、
前記カプセル内の飲料成分を抽出するために、前記高温の液体を抽出部内に保持された前記カプセルに注入するのに適した少なくとも１つの注入器と、
前記第１の扉および前記第２の扉の各々を開くための制御システムであって、ユーザによって入力された第１のコマンドに応答して前記第１の扉を開き、ユーザによって入力された第２のコマンドに応答して前記第２の扉を開くようプログラムされた前記制御システムと
を含むことを特徴とする飲料調製装置。
実施形態４３
前記第１の抽出部に挿入された前記カプセルが、前記第２の抽出部に挿入された前記カプセルとは異なる抽出条件を受ける、実施形態４２記載の飲料調製装置。
実施形態４４
前記異なる抽出条件が、異なる抽出圧力を含む、実施形態４３記載の飲料調製装置。